(57)【要約】【課題】  ＲＦＩＤの読取履歴に基づくデータを、利用者が必要なときに、携帯電話などのモバイル端末で簡単かつ効率的に確認を実施すること。【解決手段】  ＲＦＩＤを読み取った履歴を管理し、携帯電話の固体識別番号とＲＦＩＤの読取履歴とをマッチングさせ、動的にページを表示するＷｅｂアプリケーションを提供する。【選択図】図１
2008084284.tif 000002
【特許請求の範囲】
【請求項１】
モバイル端末で内容表示できるＷｅｂアプリケーションシステムであって、ＲＦＩＤ内の識別コードを当該管理サーバへ送信するＲＦＩＤ読取装置と、前記ＲＦＩＤに於いて処理された読取履歴を保存する保存装置と、端末の固有識別番号を付加したページ表示要求を可能とするモバイル端末装置と、を具備し、モバイル端末の固有識別番号と特定のＲＦＩＤ読取履歴とによって、動的なページをモバイル端末に表示する手段を特徴とするＷｅｂアプリケーションシステム。
【請求項２】
ＲＦＩＤを用いたスタンプラリーシステムであって、スタンプラリーに関するデータを管理する管理サーバと、上記請求項１に記載の装置とを有し、前記データ保存手段に於いて保存されるスタンプラリーのデータを閲覧することを可能にする閲覧手段と、を有することを特徴とするＲＦＩＤを利用したスタンプラリーシステム。
【請求項３】
ＲＦＩＤを用いたルート案内システムであって、ルートに関するデータを管理する管理サーバと、上記請求項１に記載の装置とを有し、前記データ保存手段に於いて保存されるルートのデータを閲覧することを可能にする閲覧手段と、を有することを特徴とするＲＦＩＤを利用したルート検索システム。
【請求項４】
モバイル端末は、ＲＦＩＤ機能を持つ携帯電話である請求項１、または、請求項２、または、請求項３のＷｅｂアプリケーションシステム。
【発明の詳細な説明】
【技術分野】
【０００１】  本発明は、携帯電話などのモバイル端末に表示する手段を特徴とするＷｅｂアプリケーションシステムに関する。
【背景技術】
【０００２】  現在、携帯電話でのアプリケーションとして、２次元バーコードを読み取って、その内容を携帯電話に表示させるなどのサービスが存在する。しかし、携帯電話などで２次元バーコードを読み取ると、瞬時に読み取るのが困難であるという欠点があった。また、２次元バーコードに記録できる情報量が増えれば、認識パターンが複雑化し読み取るのが困難になる欠点があり、このため、ＵＲＬを２次元バーコードに埋め込むといったことが主流になっている。しかし、このＵＲＬでは、個別の内容しか表示できないという欠点もあった。【０００３】  この点に対し、近年では、ＲＦＩＤを用いた実証実験が実施されている。例えば、特許文献１などは、携帯端末でＲＦＩＤを読み込むことによって、そのデータを携帯端末に表示させる一例である。しかし、この例では、携帯電話などのモバイル端末で、データの表示を行う場合、ＲＦＩＤを用いたソリューションで読取精度の向上は図れるが、最新データを表示させるにとどまり、履歴に付随したデータを表示させることはできない。【０００４】  特許文献２のように、ＲＦＩＤは、履歴の管理としてのトレーサビリティーにも応用されるようになっている。これらのトレーサビリティーとして過去に通った工程を検索するアプリケーションシステムが必要である。【０００５】  スタンプラリーシステムなどで自分が通ったチェックポイントなども、一種のトレーサビリティーといえるかもしれないが、特許文献３で紹介するようなスタンプラリーシステムでも、２次元バーコードではあるが、自分でＷｅｂページを「閲覧」するという機能が記載されている。【０００６】  他に、スタンプラリーシステムとして特許文献４などは、ＧＰＳにて通ったルートをチェックポイントとして記憶させる方法が記載されているが、全てのチェックポイントに到着すると携帯端末に「送信」するという機能が必要であった。
【特許文献１】特許公開２００６−２５４２４５
【特許文献２】特許公開２００６−１７１８０５
【特許文献３】特許公開２００５−１１５６４２
【特許文献４】特許公開２００６−２０９２１４
【発明の開示】
【発明が解決しようとする課題】
【０００７】  本発明が解決する課題は、ＲＦＩＤの読取履歴を元にしたデータを、携帯電話などのモバイル端末で簡単に取り出すことである。【０００８】  例えば、スタンプラリー中に見たい閲覧ルートの案内などには、どの場所がまわっていないチェックポイントなのかのデータや、最適なルートを案内することや、他の仲間のチェックポイント到達状況の閲覧などが必要にもなる。これは、スタンプラリーだけではなく、美術館、水族館や工場などの見学施設など、見てまわることを前提にした観光施設や観光地などの見学についても、同様の問題がある。【０００９】  しかし、これらの表示検索には、検索するという作業が必要であり、ルートを自分で検索するか、または、検索の都度に自分のＩＤなどで検索するなどの必要性があった。また、逆に、自分のＩＤが容易に推測されると、第三者にその内容データが見られてしまうという弱点もあった。【００１０】  また、スタンプラリーシステムとして紹介した特許文献３などの「送信」するという機能は、検索するという手間は省けるが、データの更新の度（ＲＦＩＤが読み取りの度）に毎回、データが送信されてくるという煩わしさがあった。また、送信するために携帯電話のメールアドレスを登録するなどの必要性があるが、このメールアドレスは個人情報でもあり、迷惑メールなどのためにも拒絶する人間も多いのが現状であり、スタンプラリーのように一般的に利用する場合には、容易に利用できないという欠点も存在した。【００１１】  本発明の目的は、ＲＦＩＤの読取履歴を元にしたデータを、好きなときに簡単に取り出すための仕組みを提供することにある。
【課題を解決するための手段】
【００１２】  本発明は、モバイル端末で内容表示できるＷｅｂアプリケーションシステムであって、ＲＦＩＤ内のデータを当該管理サーバへ送信するＲＦＩＤ読取装置と、前記ＲＦＩＤに於いて処理された読取履歴を保存する保存装置と、端末の固有識別番号を付加したページ表示要求を可能とするモバイル端末装置と、を具備し、端末の固有識別番号と特定のＲＦＩＤ読取履歴とによって、動的なページをモバイル端末に表示する手段を特徴とするＷｅｂアプリケーションシステムである。【００１３】  ＲＦＩＤ（Ｒａｄｉｏ  Ｆｒｅｑｕｅｎｃｙ  Ｉｄｅｎｔｉｆｉｃａｔｉｏｎ）は、良く知られているように、無線による送受信機能と、メモリを内蔵しており、無線を使った非接触方式で、メモリにデータを記録したり、メモリからデータを読み出したりできる。このＲＦＩＤには、当該ＲＦＩＤを特定するコードが少なくとも記録されている。ここで、ＲＦＩＤを特定するコードとは、ＲＦＩＤの一つ一つを識別するための識別コードであり、その目的を果たせるものであれば、どのような体系のコードを用いてもよい。それ以外にも、さらに詳細なデータ、例えば、物品の製造者や配送先を表す情報や、イベント情報、広告情報、画像映像情報、音声情報、嗅覚情報、味覚情報など（以下、属性情報と呼ぶ）も記録してもよい。【００１４】  また、ＲＦＩＤは、独立した固体で無くても、何かの付属としての機能でもかまわない。本発明では、モバイル端末に埋め込まれたものとして、携帯電話とＲＦＩＤを融合させることにより、より、携帯の合理を追求した。【００１５】  モバイル端末とは、携帯電話や、モバイルパソコン、ＰＨＳ端末、携帯可能なコンピューターのことを示し、このモバイル端末は、端末の固有識別番号を発信する機能を有するものとする。【００１６】  端末の固有識別番号とは、ユニークに識別できる番号であれば、どのような体系のものでもかまわない。例えば、携帯電話メーカーが割り振っている携帯電話の固体識別番号や、パソコンのＭＡＣアドレス、また、自らが端末に登録した管理識別番号でもかまわない。コードとしては、上述した当該ＲＦＩＤを特定するコードと同じものであってもかまわない。ＲＦＩＤの識別コードと、モバイル端末の識別番号とは、同じである必要は無いが、同じでない場合は、最初に、この番号を紐付ける作業が必要になる。このため、同一のものを用いるか、事前に紐付ける作業を実施しておく必要がある。【００１７】  さらに、上記特性とスタンプラリーに関するデータを管理することによって、スタンプラリーの参加者が簡単にデータを取り出せることのできるＷｅｂアプリケーションシステムも発明した。スタンプラリーとは、ハイキングやオリエンテーリングだけではなく、美術館、水族館や工場などの見学施設など、見てまわることを前提にした観光施設や観光地のことであり、それらのチェックポイント（観覧物）で、ＲＦＩＤを読取ることにより、自分のまわっていない、見ていないチェックポイントの把握が、モバイル端末の表示更新だけで、容易に行うことができる。【００１８】  さらに、上記特性とルートに関するデータを管理することによって、通った履歴に基づいたルート検索を簡単にとりだせるＷｅｂアプリケーションシステムも発明した。ここでいうルート検索とは、まわっていないチェックポイントをいかに効率よくまわるかを示すルート検索と、非常時などに近くの避難場所への行き方を提示するためのものである。例えば、非常時に、そのチェックポイントを元に施設から抜け出すためのルートの把握が、モバイル端末の表示更新だけで容易に可能になる。
【発明の効果】
【００１９】  データ検索者は、端末の固有識別番号によって動的にページが表示されることにより、ＵＲＬや入力を意識することなくデータを簡単に取り出すことができる。
【発明を実施するための最良の形態】
【００２０】  以下、図面を参照し、本発明の実施の形態について説明する。図１はこの実施の形態におけるＷｅｂアプリケーションの一例を示す図である。Ｗｅｂアプリケーションシステムは携帯端末装置１、ＲＦＩＤ読み取り装置２、履歴管理データベースサーバ３、Ｗｅｂアプリケーションサーバ４から構成される。この例では、ＲＦＩＤはモバイル端末に埋め込まれているものとして説明するが、別々に保持することでもかまわない。また、ＲＦＩＤは、利用者本人、また、家族や他人がもっていることでも、物品に貼り付けるなどの付属物でもかまわない。このＲＦＩＤを読むことによって、読み取ったＲＦＩＤの識別番号の履歴がサーバ３に蓄積される。サーバ３は、履歴を管理するデータベースシステムの機能を有する。【００２１】  まず、（１）携帯端末１に埋め込まれたＲＦＩＤをＲＦＩＤリーダー２に読ませる。このＲＦＩＤを読取ったデータで、このチェックポイントを通過したことがわかることになる。このとき（２）ＲＦＩＤ読取装置などに二次元バーコードラベルを貼付しておき、携帯端末で固定ＵＲＬを読み取ることによって、初期にＵＲＬを入力する手間を省く工夫を実施しても良い。または、ＲＦＩＤリーダーから携帯端末に対して、直接、同時に、固定ＵＲＬを返すなどの機能を設けても良い。【００２２】  （３）（１）で読み取ったデータは、履歴管理データベース３に蓄積する。このとき、ＲＦＩＤに対しては、別途、そのチェックポイントでのデータを書き込みしてもかまわない。また、このＲＦＩＤのデータとして属性情報もデータベースサーバ３に格納してもかまわない。【００２３】  （４）利用者は、必要に応じ、携帯端末でＵＲＬの表示要求を実施する。このときの表示するＵＲＬは、いつでも同じＵＲＬで可能となるため、携帯端末のお気に入りなどに登録しておくことも可能である。この表示要求に対して、（５）Ｗｅｂサーバ４では、履歴蓄積データベース３のデータを参照し、ＨＴＭＬ文５を作成し、（６）携帯端末１にページとして返す。このデータベースサーバ３とＷｅｂサーバ４は、機能を満たせば、同一媒体であってもかまわない。【００２４】  携帯端末１に表示されたページは、利用者が確認するだけではなく、その中から選択し、さらに、データ表示要求を実施することも可能であり、そのときは、それに応じてＷｅｂサーバ４が表示ＨＴＭＬを作成することとなる。
【実施例１】
【００２５】  本発明の実施例として、美術館、水族館や工場などの見学施設など、見てまわることを前提にした観光施設や観光地などの見学での利用できることがあげられる。利用者が今までのチェックポイントや見た場所を確認するとともに、見てまわった順にソートして会話するなども容易に画面更新作業だけで可能になる。逆に、見ていない他のチェックポイントの内容データを表示更新の作業により、簡単に見ることができる。また、ルート検索ができることにより、行っていない場所への最短ルートの検索が容易になる。
【実施例２】
【００２６】  本発明の実施例として、塾などでの授業や講習会の受講での利用がある。出席時にＲＦＩＤを読み取ることで出欠確認することによって、塾側や講習会の主催者側だけではなく、受講者も内容を確認することができ、かつ、出席したことのない授業を簡単に表示することができる。
【実施例３】
【００２７】  本発明の実施例として、幼稚園やホームヘルパーなどのバス利用のルート案内があげられる。バスが地点を通るたびにＲＦＩＤを読み取ると、自分が待っているバスが、現在、どのルートを走っていて、次にどこに向かってから来るのかが、携帯で確認することができる。また、混雑具合によって、迎えのバスが交代したとしても、携帯でのページ更新だけで、最新のデータが表示される。
【産業上の利用可能性】
【００２８】  本発明に係るシステム及びこの方法は、電鉄会社、小売店、オリエンテーリング等の一般的なスタンプラリーや、美術館や水族館などの観覧施設での案内手段として用いることができるとともに、サービスの一環としてのデータ案内に利用することができる。
【図面の簡単な説明】
【００２９】
【図１】本発明の構成の一例を説明する図である。
【符号の説明】
【００３０】１：ＲＦＩＤ付き携帯端末装置
２：ＲＦＩＤ読み取り装置
３：履歴管理データベースサーバ
４：Ｗｅｂアプリケーションサーバ
５：ＨＴＭＬ文（データイメージ）
【図１】
2008084284.tif 000003